(57)【要約】      （修正有）【課題】突然主電源スイッチがオフされた場合等に、ＰｏＥより電力を供給することで、データを保護することができる画像形成装置を提供する。【解決手段】メカニカルスイッチ１のＯＦＦを検知するメカスイッチ検知８が設けられている。メカニカルスイッチ１がＯＦＦされると、メカスイッチ検知部８でスイッチＯＦＦを検知する。そして、このメカスイッチ検知部８がスイッチ３へスイッチＯＦＦ信号を検知した旨を通知する。この通知を受けてスイッチ３は、電源をＰｏＥ２０へ切り替える。【選択図】図３
2010041307.tif 000002
【特許請求の範囲】
【請求項１】
他のネットワーク装置に接続可能な画像形成装置であって、
主電源と、接続された他のネットワーク装置から電力供給を受けるＰｏｗｅｒ  Ｏｖｅｒ  Ｅｔｈｅｒｎｅｔ（ＰｏＥ）とから電力供給を受けるコントローラシステムと、
前記主電源のスイッチのオフを検知する検知手段と、を備え、
前記検知手段が主電源のスイッチオフを検知したとき、前記コントローラシステムが、電力供給元を主電源から前記ＰｏＥに切り替える制御を行うことを特徴とする画像形成装置。
【請求項２】
前記コントローラシステムが主電源の電圧を検知する電圧検知手段をさらに備え、
前記電圧検知手段が主電源の電圧低下を検知したとき、前記コントローラシステムが、電力供給元を主電源から前記ＰｏＥに切り替える制御を行うことを特徴とする請求項１記載の画像形成装置。
【請求項３】
前記コントローラシステムが、電力供給元を主電源から前記ＰｏＥに切り替える制御を行った際、ＰｏＥから電力が供給されていることをユーザーに通知する通知手段をさらに備えたことを特徴とする請求項１または請求項２記載の画像形成装置。
【請求項４】
前記コントローラシステムが、電力供給元を主電源から前記ＰｏＥに切り替える制御を行った際、データ保証のための所定の処理終了後、ＰｏＥからの電源供給をオフすることを特徴とする請求項１、請求項２または請求項３記載の画像形成装置。
【請求項５】
前記コントローラシステムが、電力供給元を主電源から前記ＰｏＥに切り替える制御を行った後、印刷要求を受領した場合、この要求を受け付けずに印刷要求の送信元へ印刷を行わない旨の通知をすることを特徴とする請求項１、請求項２、請求項３または請求項４記載の画像形成装置。
【請求項６】
主電源と、接続された他のネットワーク装置から電力供給を受けるＰｏｗｅｒ  Ｏｖｅｒ  Ｅｔｈｅｒｎｅｔ（ＰｏＥ）とから電力供給を受けるコントローラシステムと、
前記主電源のスイッチのオフを検知する検知手段と、を備え、他のネットワーク装置に接続可能な画像形成装置における画像形成方法であって、
前記検知手段が主電源のスイッチオフを検知する第１のステップと、
第１のステップで主電源のスイッチオフを検知したとき、前記コントローラシステムが、電力供給元を主電源から前記ＰｏＥに切り替える制御を行う第２のステップと、
からなることを特徴とする画像形成方法。
【請求項７】
他のネットワーク装置に接続可能な画像形成装置であって、
ＡＣ電源と、接続された他のネットワーク装置から電力供給を受けるＰｏｗｅｒ  Ｏｖｅｒ  Ｅｔｈｅｒｎｅｔ（ＰｏＥ）とから電力供給を受けるコントローラシステムと、
前記ＡＣ電源のＡＣコード抜けを検知するコード抜け検知手段と、を備え、
前記コード抜け検知手段がＡＣ電源のコード抜けを検知したとき、前記コントローラシステムが、電力供給元をＡＣ電源から前記ＰｏＥに切り替える制御を行うことを特徴とする画像形成装置。
【請求項８】
他のネットワーク装置に接続可能な画像形成装置であって、
ＡＣ電源と、接続された他のネットワーク装置から電力供給を受けるＰｏｗｅｒ  Ｏｖｅｒ  Ｅｔｈｅｒｎｅｔ（ＰｏＥ）とから電力供給を受けるコントローラシステムと、
前記ＡＣ電源の電源瞬断を検知する瞬断検知手段と、を備え、
前記瞬断検知手段がＡＣ電源の瞬断を検知したとき、前記コントローラシステムが、電力供給元をＡＣ電源から前記ＰｏＥに切り替える制御を行うことを特徴とする画像形成装置。
【請求項９】
他のネットワーク装置に接続可能な画像形成装置であって、
ＡＣ電源と、接続された他のネットワーク装置から電力供給を受けるＰｏｗｅｒ  Ｏｖｅｒ  Ｅｔｈｅｒｎｅｔ（ＰｏＥ）とから電力供給を受けるコントローラシステムと、
前記ＡＣ電源が発するノイズを検知するノイズ検知手段と、を備え、
前記ノイズ検知手段がＡＣ電源のノイズを検知したとき、前記コントローラシステムが、電力供給元をＡＣ電源から前記ＰｏＥに切り替える制御を行うことを特徴とする画像形成装置。
【請求項１０】
前記ノイズ検知手段が検知するＡＣ電源のノイズレベルが、装置に誤動作を及ぼすレベルに達した場合に、前記コントローラシステムが、電力供給元をＡＣ電源から前記ＰｏＥに切り替える制御を行うことを特徴とする請求項９記載の画像形成装置。
【請求項１１】
前記コントローラシステムが、記憶手段をさらに備え、
前記ノイズ検知手段で検知したＡＣ電源のノイズが所定のノイズレベルを超えている場合、電力供給元をＡＣ電源から前記ＰｏＥに切り替えた後、前記記憶手段にノイズレベルが一定値を超えたことを記憶することを特徴とする請求項１０記載の画像形成装置。
【請求項１２】
前記コントローラシステムが、電力供給元をＡＣ電源から前記ＰｏＥに切り替える制御を行う際、ＰｏＥから電力が供給されていることをユーザーに通知する通知手段をさらに備えたことを特徴とする請求項１０または請求項１１記載の画像形成装置。
【請求項１３】
ＡＣ電源と、接続された他のネットワーク装置から電力供給を受けるＰｏｗｅｒ  Ｏｖｅｒ  Ｅｔｈｅｒｎｅｔ（ＰｏＥ）とから電力供給を受けるコントローラシステムと、
前記ＡＣ電源のＡＣコード抜けを検知するコード抜け検知手段と、を備え、他のネットワーク装置に接続可能な画像形成装置における画像形成方法であって、
前記コード抜け検知手段がＡＣ電源のコード抜けを検知する第１のステップと、
第１のステップでＡＣ電源のコード抜けを検知したとき、前記コントローラシステムが、電力供給元をＡＣ電源から前記ＰｏＥに切り替える制御を行う第２のステップと、
からなることを特徴とする画像形成方法。
【請求項１４】
ＡＣ電源と、接続された他のネットワーク装置から電力供給を受けるＰｏｗｅｒ  Ｏｖｅｒ  Ｅｔｈｅｒｎｅｔ（ＰｏＥ）とから電力供給を受けるコントローラシステムと、
前記ＡＣ電源の電源瞬断を検知する瞬断検知手段と、を備え、他のネットワーク装置に接続可能な画像形成装置における画像形成方法であって、
前記瞬断検知手段がＡＣ電源の電源瞬断を検知する第１のステップと、
第１のステップでＡＣ電源の瞬断を検知したとき、前記コントローラシステムが、電力供給元をＡＣ電源から前記ＰｏＥに切り替える制御を行う第２のステップと、
からなることを特徴とする画像形成方法。
【請求項１５】
ＡＣ電源と、接続された他のネットワーク装置から電力供給を受けるＰｏｗｅｒ  Ｏｖｅｒ  Ｅｔｈｅｒｎｅｔ（ＰｏＥ）とから電力供給を受けるコントローラシステムと、
前記ＡＣ電源が発するノイズを検知するノイズ検知手段と、を備え、他のネットワーク装置に接続可能な画像形成装置における画像形成方法であって、
前記ノイズ検知手段がＡＣ電源が発するノイズを検知する第１のステップと、
第１のステップでＡＣ電源のノイズを検知したとき、前記コントローラシステムが、電力供給元をＡＣ電源から前記ＰｏＥに切り替える制御を行う第２のステップと、
からなることを特徴とする画像形成方法。
【発明の詳細な説明】
【技術分野】
【０００１】
本発明は、複数の電源を備えたプリンタ・ＭＦＰなどの画像形成装置に関する。
【背景技術】
【０００２】
近年、広く普及し、使用されているプリンタ・ディジタル複合機などの画像形成装置において、デバイス（Ｆｌａｓｈ、ＮＶＲＡＭ）への書き込み処理を行っている最中に、何らかの理由で突然主電源スイッチがオフされた場合、書き込みデータは保証されなくなってしまう。最悪の場合、当該ユーザーのデータが破壊されてしまうこともあり得る。また、デバイス（Ｆｌａｓｈ、ＮＶＲＡＭ）への書き込み処理の最中に何らかの理由で、突然ＡＣコードが抜けた場合、コントローラボードへの電力供給が途絶え書き込みデータは保証されなくなる。この場合も、当該ユーザーのデータが破壊されてしまうことも想定される。
さらに、例えば、ＨＤＤ(ハード・ディスク・ドライブ）等においては、ヘッドを待避することができず寿命が短くなったりする。加えて、次回のパワーオン時にシステムが立ち上がらないことも想定される。
ところで、ネットワーク関連デバイスに対して、ネットワークに接続された相手方ネットワーク装置から電力が供給されるＰｏＥ(パワー・オーバー・イーサネット）利用されるようになっている。
このＰｏＥを用いてネットワークで接続された画像形成装置に電力を供給する技術として、特許文献１に記載に発明をあげることができる。
【特許文献１】特開２００６−２６０１０８
【発明の開示】
【発明が解決しようとする課題】
【０００３】
上記特許文献１記載の発明は、ＰｏＥを用いて電力を供給する発明であるが、省エネルギーを目的としたものであり、突然主電源スイッチがオフされた場合や、ＡＣコードが抜けた場合に対応できるものではない。
そこで、本発明の目的は、突然主電源スイッチがオフされた場合や、ＡＣコードが抜けた場合にも、ＰｏＥより電力を供給することで、データを保護することができる画像形成装置および画像形成方法を提供することである。
【課題を解決するための手段】
【０００４】
請求項１記載の発明では、他のネットワーク装置に接続可能な画像形成装置であって、主電源と、接続された他のネットワーク装置から電力供給を受けるＰｏｗｅｒ  Ｏｖｅｒ  Ｅｔｈｅｒｎｅｔ（ＰｏＥ）とから電力供給を受けるコントローラシステムと、前記主電源のスイッチのオフを検知する検知手段と、を備え、前記検知手段が主電源のスイッチオフを検知したとき、前記コントローラシステムが、電力供給元を主電源から前記ＰｏＥに切り替える制御を行うことを特徴とする。
請求項２記載の発明では、請求項１記載の発明において、前記コントローラシステムが主電源の電圧を検知する電圧検知手段をさらに備え、前記電圧検知手段が主電源の電圧低下を検知したとき、前記コントローラシステムが、電力供給元を主電源から前記ＰｏＥに切り替える制御を行うことを特徴とする。
請求項３記載の発明では、請求項１または請求項２記載の発明において、前記コントローラシステムが、電力供給元を主電源から前記ＰｏＥに切り替える制御を行った際、ＰｏＥから電力が供給されていることをユーザーに通知する通知手段をさらに備えたことを特徴とする。
請求項４記載の発明では、請求項１、請求項２または請求項３記載の発明において、前記コントローラシステムが、電力供給元を主電源から前記ＰｏＥに切り替える制御を行った際、データ保証のための所定の処理終了後、ＰｏＥからの電源供給をオフすることを特徴とする置。
請求項５記載の発明では、請求項１、請求項２、請求項３または請求項４記載の発明において、前記コントローラシステムが、電力供給元を主電源から前記ＰｏＥに切り替える制御を行った後、印刷要求を受領した場合、この要求を受け付けずに印刷要求の送信元へ印刷を行わない旨の通知をすることを特徴とする。
請求項６記載の発明では、主電源と、接続された他のネットワーク装置から電力供給を受けるＰｏｗｅｒ  Ｏｖｅｒ  Ｅｔｈｅｒｎｅｔ（ＰｏＥ）とから電力供給を受けるコントローラシステムと、前記主電源のスイッチのオフを検知する検知手段と、を備え、他のネットワーク装置に接続可能な画像形成装置における画像形成方法であって、前記検知手段が主電源のスイッチオフを検知する第１のステップと、第１のステップで主電源のスイッチオフを検知したとき、前記コントローラシステムが、電力供給元を主電源から前記ＰｏＥに切り替える制御を行う第２のステップと、からなることを特徴とする。
請求項７記載の発明では、他のネットワーク装置に接続可能な画像形成装置であって、ＡＣ電源と、接続された他のネットワーク装置から電力供給を受けるＰｏｗｅｒ  Ｏｖｅｒ  Ｅｔｈｅｒｎｅｔ（ＰｏＥ）とから電力供給を受けるコントローラシステムと、前記ＡＣ電源のＡＣコード抜けを検知するコード抜け検知手段と、を備え、前記コード抜け検知手段がＡＣ電源のコード抜けを検知したとき、前記コントローラシステムが、電力供給元をＡＣ電源から前記ＰｏＥに切り替える制御を行うことを特徴とする。
請求項８記載の発明では、他のネットワーク装置に接続可能な画像形成装置であって、ＡＣ電源と、接続された他のネットワーク装置から電力供給を受けるＰｏｗｅｒ  Ｏｖｅｒ  Ｅｔｈｅｒｎｅｔ（ＰｏＥ）とから電力供給を受けるコントローラシステムと、前記ＡＣ電源の電源瞬断を検知する瞬断検知手段と、を備え、前記瞬断検知手段がＡＣ電源の瞬断を検知したとき、前記コントローラシステムが、電力供給元をＡＣ電源から前記ＰｏＥに切り替える制御を行うことを特徴とする。
請求項９記載の発明では、他のネットワーク装置に接続可能な画像形成装置であって、ＡＣ電源と、接続された他のネットワーク装置から電力供給を受けるＰｏｗｅｒ  Ｏｖｅｒ  Ｅｔｈｅｒｎｅｔ（ＰｏＥ）とから電力供給を受けるコントローラシステムと、前記ＡＣ電源が発するノイズを検知するノイズ検知手段と、を備え、前記ノイズ検知手段がＡＣ電源のノイズを検知したとき、前記コントローラシステムが、電力供給元をＡＣ電源から前記ＰｏＥに切り替える制御を行うことを特徴とする。
請求項１０記載の発明では、請求項９記載の発明において、前記ノイズ検知手段が検知するＡＣ電源のノイズレベルが、装置に誤動作を及ぼすレベルに達した場合に、前記コントローラシステムが、電力供給元をＡＣ電源から前記ＰｏＥに切り替える制御を行うことを特徴とする。
請求項１１記載の発明では、請求項１０記載の発明において、前記コントローラシステムが、記憶手段をさらに備え、前記ノイズ検知手段で検知したＡＣ電源のノイズが所定のノイズレベルを超えている場合、電力供給元をＡＣ電源から前記ＰｏＥに切り替えた後、前記記憶手段にノイズレベルが一定値を超えたことを記憶することを特徴とする。
請求項１２記載の発明では、請求項１０または請求項１１記載の発明において、前記コントローラシステムが、電力供給元をＡＣ電源から前記ＰｏＥに切り替える制御を行う際、ＰｏＥから電力が供給されていることをユーザーに通知する通知手段をさらに備えたことを特徴とする。
請求項１３記載の発明では、ＡＣ電源と、接続された他のネットワーク装置から電力供給を受けるＰｏｗｅｒ  Ｏｖｅｒ  Ｅｔｈｅｒｎｅｔ（ＰｏＥ）とから電力供給を受けるコントローラシステムと、前記ＡＣ電源のＡＣコード抜けを検知するコード抜け検知手段と、を備え、他のネットワーク装置に接続可能な画像形成装置における画像形成方法であって、前記コード抜け検知手段がＡＣ電源のコード抜けを検知する第１のステップと、
第１のステップでＡＣ電源のコード抜けを検知したとき、前記コントローラシステムが、電力供給元をＡＣ電源から前記ＰｏＥに切り替える制御を行う第２のステップと、からなることを特徴とする。
請求項１４記載の発明では、ＡＣ電源と、接続された他のネットワーク装置から電力供給を受けるＰｏｗｅｒ  Ｏｖｅｒ  Ｅｔｈｅｒｎｅｔ（ＰｏＥ）とから電力供給を受けるコントローラシステムと、前記ＡＣ電源の電源瞬断を検知する瞬断検知手段と、を備え、他のネットワーク装置に接続可能な画像形成装置における画像形成方法であって、前記瞬断検知手段がＡＣ電源の電源瞬断を検知する第１のステップと、第１のステップでＡＣ電源の瞬断を検知したとき、前記コントローラシステムが、電力供給元をＡＣ電源から前記ＰｏＥに切り替える制御を行う第２のステップと、からなることを特徴とする。
請求項１５記載の発明では、ＡＣ電源と、接続された他のネットワーク装置から電力供給を受けるＰｏｗｅｒ  Ｏｖｅｒ  Ｅｔｈｅｒｎｅｔ（ＰｏＥ）とから電力供給を受けるコントローラシステムと、前記ＡＣ電源が発するノイズを検知するノイズ検知手段と、を備え、他のネットワーク装置に接続可能な画像形成装置における画像形成方法であって、前記ノイズ検知手段がＡＣ電源が発するノイズを検知する第１のステップと、第１のステップでＡＣ電源のノイズを検知したとき、前記コントローラシステムが、電力供給元をＡＣ電源から前記ＰｏＥに切り替える制御を行う第２のステップと、からなることを特徴とする。
【発明の効果】
【０００５】
請求項１から請求項６記載の発明では、主電源スイッチのオフを検知し、ＰｏＥからの電源供給に切り替えることができるので処理中のデータを保証することが可能となる。
請求項７および請求項１３記載の発明では、ＡＣ電源が抜けても、ＰｏＥからの電源供給に切り替えることができるので処理中のデータを保証することが可能となる。
請求項８および請求項１４記載の発明では、ＡＣ電源の瞬断が発生しても、ＰｏＥからの電源供給に切り替えることができるので処理中のデータを保証することが可能となる。
請求項９から請求項１２および請求項１５記載の発明では、ＡＣ電源のノイズレベルが高い場合にも、ＰｏＥからの電源供給に切り替えることができるので処理中のデータを保証することが可能となる。
【発明を実施するための最良の形態】
【０００６】
以下、本発明の好適な実施の形態を図１ないし図２１を参照して、詳細に説明する。
図１は、本発明の第１の実施例に係る画像形成装置の構成を示したブロック図である。
この画像形成装置５は、メカニカルスイッチ１、ＡＣ／ＤＣ（交流／直流）変換部２、スイッチ（ＳＷ）３、ＣＴＬ電源生成部４、メカスイッチ検知部８を備えている。そして、外部電源供給源（１）６および外部電源供給源（２）７から電力の供給が可能となっている。
メカニカルスイッチ１は、画像形成装置５の主電源のＯＦＦ／ＯＮを行う。外部電源供給源（１）６から画像形成装置５に電源が投入された状態で、メカニカルスイッチ１が、ユーザー等によって画像形成装置５の電源ＯＦＦの方向に切り替えられた場合、メカスイッチ検知部８がスイッチＯＦＦを検知したことを示す信号を発生させる。
メカスイッチ検知部８より発生した信号で、ＣＴＬ電源生成部４に供給する電源をスイッチ３によってＡＣ／ＤＣ変換部２より生成したＤＣ５Ｖから、もう一方の外部入力電源である外部電源供給源（２）７へ切り替える。
【０００７】
図２のフローチャートを参照して、本実施例の処理手順を説明する。
まず、メカニカルスイッチ１がＯＦＦされると(ステップ１０）、メカスイッチ検知部８でスイッチＯＦＦを検知する(ステップ１１）。そして、このメカスイッチ検知部８がスイッチ３へスイッチＯＦＦ信号を検知した旨を通知する(ステップ１２）。この通知を受けてスイッチ３は、電源を外部電源供給源（２）７へ切り替える(ステップ１３）。
この実施例によれば、コントローラシステム全体への電源供給源を制御することができるので、一方からの電源供給が途絶えても、電力を供給することが可能となる。
【０００８】
図３は、第２の実施例の構成を示したブロック図である。
図３では、図１の構成とほぼ同等であって、図１の外部電源供給源（２）７にＰｏＥ(パワーオーバーイーサネット）２０が相当する。
ＣＴＬ９にはＰｏＥ２０の電源受給部ＰＤ１８を有しており、画像形成装置５の外部にある電源供給部のＰＳＥ１７からネットワーク（イーサネット（登録商標））ケーブル２１を介し、電源受給部ＰＤ１８に電力を供給するようになっている。
ＰｏＥ２０からは現行仕様で１５．４Ｗの電力を供給することが可能であり、電源受給部ＰＤ１８での変換効率を差し引いても、１０Ｗ以上の電力を供給することが可能になる。そのため、画像形成装置５で使用されるＣＴＬ９の待機電力を供給可能な電力を実現している。さらに、拡張規格では最大３０Ｗまで供給可能となる。ＰｏＥ２０以外の外部ソースでは、これ程大きな電力は供給できないのが現状である。
なお、ＰｏＥ２０は、ＩＥＥＥ８０２．３ａｆで定義された公知の技術、またこれに基づく拡張規格８０２．３ａｔ等も含んでいるものとする。
【０００９】
図４のフローチャートを参照して、本実施例の処理手順を説明する。
まず、メカニカルスイッチ１がＯＦＦされると(ステップ２０）、メカスイッチ検知部８でスイッチＯＦＦを検知する(ステップ２１）。そして、このメカスイッチ検知部８がスイッチ３へスイッチＯＦＦ信号を検知した旨を通知する(ステップ２２）。この通知を受けてスイッチ３は、電源をＰｏＥ２０へ切り替える(ステップ２３）。
この実施例では、第１の実施例と同様にメカニカルスイッチ１がＯＦＦされた場合に、メカスイッチ検知部８がスイッチＯＦＦを検知して、スイッチ３を切り替え、電源受給部ＰＤ１８からＣＴＬ電源生成部４へ電力を供給する。
【００１０】
次に、第３の実施例を説明する。図５は、第３の実施例の構成を示したブロック図である。図３に示した第２の実施例にさらにＡＣ／ＤＣ変換後の電圧検知部１９が設けられている。この電圧検知部１９で、ＤＣ５Ｖの低下を検知し、さらにメカスイッチ検知部８でメカニカルスイッチ１のＯＦＦを検査する仕組みを備えている。
電圧検知部１９およびメカスイッチ検知部８からの二つの検知信号のどちらか一方がアサートされた時に、スイッチ３は、ＣＴＬ電源生成部４へのＤＣ電源をＡＣ電源側からＰｏＥ２０側に切り替える。
図６のフローチャートを参照して、本実施例の処理手順を説明する。
まず、メカニカルスイッチ１ＯＦＦがメカスイッチ検知部８により検知されるか、またはＤＣ電源低下を電圧検知部１９により検知されると(ステップ３０；Ｙ）、メカスイッチ検知部８または電圧検知部１９が、検知した旨をスイッチ３へ通知する(ステップ３１）。この通知を受けてスイッチ３は、電源をＰｏＥ２０へ切り替える(ステップ３２）。なお、メカニカルスイッチ１ＯＦＦがメカスイッチ検知部８により検知しない、またはＤＣ電源低下を電圧検知部１９により検知しない場合(ステップ３０；Ｎ）、ＡＣ電源供給のまま継続する(ステップ３３）。
【００１１】
次に、第４の実施例を説明する。図７は、第４の実施例の構成を示したブロック図である。図７に示すように、第３の実施例にさらにスイッチ３の切り替えを通知する信号を有しており、また、画像形成装置５にディスプレイ１３を備えた操作部１２が設けられている。
さらに、画像形成装置５は電源受給部ＰＤ１８からユーザーの操作するホストＰＣ１４とも接続されている。
スイッチ３から、ＰｏＥ２０からの電源供給に切り替わったことを示す信号をＣＴＬ９のＣＰＵ(中央演算処置装置）１１が受け取ると、これに基づいて操作部１２のディスプレイ１３にその旨の情報を表示する。若しくは、電源受給部ＰＤ１８を経由しネットワーク越しにホストＰＣ１４に通知する。または、この双方を実施するようにしてもよい。
図８のフローチャートを参照して、本実施例の処理手順を説明する。
まず、メカニカルスイッチ１がＯＦＦされると（ステップ４０）、メカスイッチ検知部８によりＯＦＦが検知され(ステップ４１）、メカスイッチ検知部８が、検知した旨をスイッチ３へ、通知する(ステップ４２）。この通知を受けてスイッチ３は、電源をＰｏＥ２０へ切り替える(ステップ４３）。
その後、ＰｏＥ２０へ切り替わった旨をホストＰＣ１４に通知するか、操作部１２のディスプレイ１３に表示するか、或いはこの２つを同時に行う(ステップ４４）。
この実施例によれば、データ保証のためにＰｏＥ２０からコントローラシステムへ電源を供給している時に、その旨をユーザーに通知することで、ネットワークケーブルを抜かれることによって、コントローラへの電力供給が不可能になり、データの保証ができなくなる状態を回避できる。
【００１２】
次に、第５の実施例を説明する。図９は、第５の実施例の構成を示したブロック図である。図９に示すように、スイッチ３からＰｏＥ２０からの電源供給に切り替えたことを示す通知信号をＣＰＵ１１が受け取ると、ＣＴＬ９はＣＰＵ１１の命令により終了処理を開始し、処理中のデータ処理が終了し次第、ＣＰＵ１１から電源制御信号を電源受給部ＰＤ１８に発生させ、この電源受給部ＰＤ１８からの電源供給を遮断する。
図１０のフローチャートを参照して、本実施例の処理手順を説明する。
まず、メカニカルスイッチ１がＯＦＦされると（ステップ５０）、メカスイッチ検知部８によりＯＦＦが検知され(ステップ５１）、メカスイッチ検知部８が、検知した旨をスイッチ３へ、通知する(ステップ５２）。この通知を受けてスイッチ３は、電源をＰｏＥ２０へ切り替える(ステップ５３）。その後、ＣＴＬ９はＣＰＵ１１の命令により終了処理を開始し（ステップ５４）、ＣＰＵ１１から電源受給部ＰＤ１８に電源ｄｉｓａｂｌｅ信号を発生させ(ステップ５５）、ＣＴＬ９の電源をＯＦＦする(ステップ５６）。
この実施例では、主電源スイッチをオフした場合、処理中のデータを保証したうえで、電源の遮断を行うことができる。
【００１３】
第６の実施例では、図５に示したスイッチ３からの切り替え通知信号をＣＰＵ１１に入力する構成を持った装置で、スイッチ３からＰｏＥ２０へ切り替わったことを示す信号がＣＰＵ１１に入力されると、画像形成装置５は印刷要求を受け付けられない状態となる。
この状態で、画像形成装置５に対して印刷要求があった場合、ＣＴＬ９から印刷要求元に対して印刷要求が受け付けられないことを通知する。
イーサネット２１に接続されたホストＰＣ１４、その他画像形成装置５に印刷要求を実行できる全ての手段に対して、前記情報を通知するようにする。
図１１のフローチャートを参照して、本実施例の処理手順を説明する。
印刷要求を受け付けると(ステップ６０）、スイッチ３からＰｏＥ２０に切り替わった信号がＣＰＵ１１に入力されているか否かを判断する(ステップ６１）。その結果、ＰｏＥ２０に切り替わっていた場合(ステップ６１；Ｙ）、印刷要求元に印刷処理を実施できない旨を通知する(ステップ６２）。一方、ＰｏＥ２０に切り替わっていない場合(ステップ６１；Ｎ）、印刷処理を実行する(ステップ６３）。
この実施例では、ＣＴＬシステムに供給される電力をＰｏＥ２０に切り替え後、画像形成装置の他の電装系ユニットには電源が投入されてなく、また、印刷実行を行うにはＰｏＥ２０からの電力では不十分であるため、ネットワークから印刷要求をかけた場合該当の装置では印刷が実行できない旨を通知するようにしている。
【００１４】
図１２は、第７の実施例の構成を示したブロックである。
この画像形成装置５は、メカニカルスイッチ１、ＡＣ／ＤＣ（交流／直流）変換部２、スイッチ３、ＣＴＬ電源生成部４、ＡＣコード接続検知部２９を備えている。そして、ＡＣコード３５を介しての外部電源供給およびＰｏＥ２０から電力の供給が可能となっている。
図１２に示した画像形成装置５で、ＡＣコード３５の外部電源供給源（１）６が画像形成装置５から抜かれた場合、ＡＣコード接続検知部２９でこれを検知し、スイッチ３を切り替える。
スイッチ３は、ＡＣコード接続検知部２９からＡＣコード３５が抜けたことを示す信号が入力される前は、ＡＣ電源からＡＣ／ＤＣ変換部２でＡＣ／ＤＣ変換された５Ｖ入力をＣＴＬ電源生成部４の入力電源として供給するが、ＡＣコード３５が抜けたことを示す信号が入力された後は、前記ＣＴＬ電源生成部４への入力をＰｏＥ２０側の電源受給部ＰＤ１８からの電源に切り替える。
図１３のフローチャートを参照して、本実施例の処理手順を説明する。
ＡＣコード３５が何らかの理由で抜けると(ステップ７０）、ＡＣコード接続検知部２９が、ＡＣコード３５の非接続を検知する(ステップ７１）。そして、ＡＣコード接続検知部２９は、ＡＣコード３５が抜けたことをスイッチ３へ通知する(ステップ７２）。この通知を受けたスイッチ３は、電源をＡＣ電源からＰｏＥ２０へ切り替える(ステップ７３）。
この実施例では、電源をオフすべきでないタイミングで、ＡＣコード３５が抜かれても動作が継続できるよう電源を供給しつづけることができる。
【００１５】
図１４は、第８の実施例の構成を示したブロックである。
図１４に示すように、図１２に示したブロックのＡＣコード接続検知部２９を、瞬断検知部３９に換えた構成である。この瞬断検知部３９で瞬断パルスを検知するとスイッチ３を切り替える。スイッチ３は、瞬断検知部３９からＡＣ電源に瞬断パルスが発生したことを示す信号が入力される前は、ＡＣ電源からＡＣ／ＤＣ変換部２でＡＣ／ＤＣ変換された５Ｖ入力をＣＴＬ電源生成部４の入力電源として供給するが、瞬断パルスが発生したことを示す信号が入力された後は、前記ＣＴＬ電源生成部４への入力をＰｏＥ２０の電源受給部ＰＤ１８からの電源に切り替える。
図１５のフローチャートを参照して、本実施例の処理手順を説明する。
ＡＣ電源瞬断が発生すると(ステップ８０）、瞬断検知部３９が、この瞬断を検知する(ステップ８１）。そして、瞬断検知部３９が、瞬断を検知したことをスイッチ３へ通知する(ステップ８２）。この通知を受けたスイッチ３は、電源をＡＣ電源からＰｏＥ２０へ切り替える(ステップ８３）。
この実施例では、停電等によりＡＣ電源が予期しないタイミングで一時的に遮断された場合に、そのタイミングがデータ処理中であった場合ＡＣ電源が遮断された影響がＣＴＬ９に供給するＤＣ電源側にも生じ、ＤＣ電源が一瞬遮断されることが想定されることとなるため、このような場合処理中のデータを保証することが可能となる。
【００１６】
図１６は、第９の実施例の構成を示したブロックである。
図１６に示すように、ＡＣ電源入力部分にノイズ検知部４９を備えており、図１２の瞬断検知部３９をノイズ検知部４９に換えた構成である。ノイズ検知部４９である一定以上のノイズを検知するとスイッチ３を切り替えるようになっている。
スイッチ３は、ノイズ検知部４９からＡＣ電源に発生したノイズがある一定の閾値を超えたことを示す信号が入力される前は、ＡＣ電源からＡＣ／ＤＣ変換部２でＡＣ／ＤＣ変換された５Ｖ入力をＣＴＬ電源生成部４の入力電源として供給するが、ある一定の閾値以上のノイズが発生したことを示す信号が入力された後は、ＣＴＬ電源生成部４への入力をＰｏＥ２０へ切り替える。
図１７のフローチャートを参照して、本実施例の処理手順を説明する。
ＡＣ電源ノイズ混入が発生すると(ステップ９０）、ノイズ検知部４９が、この混入を検知する(ステップ９１）。そして、この検知したノイズが所定値以上か否かを判断する（ステップ９２）。その結果、所定値以上だった場合(ステップ９２；Ｙ）、ノイズ検知部４９が、ノイズを検知したことをスイッチ３へ通知する(ステップ９３）。この通知を受けたスイッチ３は、電源をＡＣ電源からＰｏＥ２０へ切り替える(ステップ９４）。なお、検知したノイズが所定値以下だった場合(ステップ９２；Ｎ）、ＡＣ電源供給のまま動作を継続する(ステップ９５）。
この実施例では、装置に供給しているＡＣ電源が、装置の置かれた環境等によりノイズが入りやすい環境であっても、データ処理を実施しているコントローラシステムに影響を与えず、動作の保証を行うことができる。
【００１７】
次に、第１０の実施例を説明する。
図１６に示すように、ＡＣ電源入力部分にノイズ検知部４９を備えた構成で、ノイズ検知部４９で予め設定されているコントローラが誤動作するレベルのノイズを検知すると、スイッチ３を切り替える。
スイッチ３は、ノイズ検知部４９からＡＣ電源に発生したノイズがＣＴＬ９が誤動作をするレベルを超えたことを示す信号が入力される前は、ＡＣ電源からＡＣ／ＤＣ変換部２でＡＣ／ＤＣ変換された５Ｖ入力をＣＴＬ電源生成部４の入力電源として供給するが、ＣＴＬ９が誤動作をするレベルのノイズが発生したことを示す信号が入力された後は、ＣＴＬ電源生成部４への入力をＰｏＥ２０へ切り替える。
図１８のフローチャートを参照して、本実施例の処理手順を説明する。
ＡＣ電源ノイズ混入が発生すると(ステップ１００）、ノイズ検知部４９が、この混入を検知する(ステップ１０１）。そして、この検知したノイズがＣＴＬ９が誤動作するレベルか否かを判断する（ステップ１０２）。その結果、誤動作するレベル以上だった場合(ステップ１０２；Ｙ）、ノイズ検知部４９が、ノイズを検知したことをスイッチ３へ通知する(ステップ１０３）。この通知を受けたスイッチ３は、電源をＡＣ電源からＰｏＥ２０へ切り替える(ステップ１０４）。なお、検知したノイズが誤動作レベル以下だった場合(ステップ１０２；Ｎ）、ＡＣ電源供給のまま動作を継続する(ステップ１０５）。
この実施例では、ＡＣ電源からＰｏＥへの電源供給の切り替えを、ＡＣ電源のノイズレベルを判定して所定のノイズレベルより大きくなった場合に切り替えることができるため、ＣＴＬ電源生成部４に供給する電源はＡＣ電源のノイズの影響を受けずに一定の品質を保つことができる。
【００１８】
図１９は、第１１の実施例の構成を示したブロックである。
ノイズ検知部４９で検知したノイズレベルが所定の値を超えている場合、スイッチ３によってＣＴＬ電源生成部４に供給する電源をＡＣ電源からＡＣ／ＤＣ変換部２でＡＣ／ＤＣ変換された５Ｖ入力をＣＴＬ電源生成部４の入力電源として供給していたのを、ＣＴＬ電源生成部４への入力をＰｏＥ２０へ切り替える。
図１９に示したように、スイッチ３からは切り替え通知信号がＣＰＵ１１に入力されており、ＣＰＵ１１は、スイッチ３からの切り替え通知信号を受けて、ノイズレベルが所定の値を超えたことを不揮発性メモリ６０に記録する。
図２０のフローチャートを参照して、本実施例の処理手順を説明する。
ＡＣ電源ノイズ混入が発生すると(ステップ１１０）、ノイズ検知部４９が、この混入を検知する(ステップ１１１）。そして、この検知したノイズのレベルが所定値以上か否かを判断する（ステップ１１２）。その結果、所定値以上だった場合(ステップ１１２；Ｙ）、ノイズ検知部４９が、ノイズを検知したことをスイッチ３へ通知し、この通知を受けたスイッチ３は、電源をＡＣ電源からＰｏＥ２０へ切り替える(ステップ１１３）。そして、不揮発性メモリ６０にノイズレベルが所定値を越えたことを記録する(ステップ１１４）。なお、検知したノイズが所定値以下だった場合(ステップ１１２；Ｎ）、ＡＣ電源供給のまま動作を継続する(ステップ１１５）。
この実施例では、ＡＣ電源のノイズレベルが高い状態の時ＰｏＥ２０に切り替えた情報を不揮発性メモリ６０に記録することで、画像形成装置５のＡＣ電源環境が適切でなかったことを、サービスマンが確認することができるため、電源環境の改善等の対処を図ることができるようになる。
【００１９】
次に、第１２の実施例について説明する。
前記第７、第８の実施例では、外乱ノイズの影響で画像形成装置５のＡＣ電源のノイズレベルが大きい場合、ＣＴＬ９はＰｏＥ２０からの電源供給に切り替えるが、ＰｏＥ２０からの供給では電力的に不十分な画像形成装置５の他の電装系ユニットは、ＡＣ電源から電源を供給されることになる。この場合、他の電装系の電源電圧には外乱ノイズの影響で電装系内部で使用している各電源デバイスの入力の要求仕様値を満足しない場合や、電源ラインのノイズがデータ線にも影響を及ぼし、正常なデータ通信ができなくなる可能性がある。こうした場合に印刷実行を実施すれば、異常画像や予期せぬエラー等が発生する可能性があるので、このようなケースでは該当の装置からの印刷実行を回避させることが必要となる。
図１９の構成であって、ノイズ検知部４９で検知したノイズレベルが所定の値を超えている場合、スイッチ３によってＣＴＬ電源生成部４に供給する電源をＡＣ電源からＡＣ／ＤＣ変換部２でＡＣ／ＤＣ変換された電源から、ＰｏＥ２０により供給されたＤＣ電源に切り替える。
図１９に示したように、スイッチ３からは切り替え通知信号がＣＰＵ１１に入力されており、ＣＰＵ１１は、スイッチ３からの切り替え通知信号を受けて、ＡＣ電源のノイズレベルが高く印刷要求を実行できないことを通知する。
イーサネットに接続されたホストＰＣ１４、その他画像形成装置５に印刷要求を実行できる全ての手段に対して、前記情報を通知するものとする。
【００２０】
この第１２の実施例の処理手順を図２１のフローチャートを参照して説明する。
印刷要求を受け付けると(ステップ１２０）、スイッチ３が、ＰｏＥ２０に電源を切り替えているか否かを判断する(ステップ１２１）。その結果、切り替えていた場合(ステップ１２１；Ｙ）、印刷要求元に印刷を実施できない事を通知する(ステップ１２２）。一方、切り替えていない場合(ステップ１２１；Ｎ）、印刷を実行する(ステップ１２３）。
この実施例によれば、ＡＣ電源のノイズレベルが所定の値を超えている場合に、ＣＴＬ電源生成部４に供給する電源をＰｏＥ２０に切り替え、その情報をユーザーに通知することでネットワーク印刷を実行するユーザーは、情報通知された画像形成装置５からの印刷実行を回避することができる。同時に、ＰｏＥ２０から電源供給されていることが通知されるため、ネットワークケーブルを抜かれることを防止することができる。
【図面の簡単な説明】
【００２１】
【図１】第１の実施例に係る画像形成装置の構成を示したブロック図である。
【図２】第１の実施例の処理手順を示したフローチャートである。
【図３】第２の実施例の構成を示したブロック図である。
【図４】第２の実施例の処理手順を示したフローチャートである。
【図５】第３の実施例の構成を示したブロック図である。
【図６】第３の実施例の処理手順を示したフローチャートである。
【図７】第４の実施例の構成を示したブロック図である。
【図８】第４の実施例の処理手順を示したフローチャートである。
【図９】第５の実施例の構成を示したブロック図である。
【図１０】第５の実施例の処理手順を示したフローチャートである。
【図１１】第６の実施例の処理手順を示したフローチャートである。
【図１２】第７の実施例の構成を示したブロックである。
【図１３】第７の実施例の処理手順を示したフローチャートである。
【図１４】第８の実施例の構成を示したブロックである。
【図１５】第８の実施例の処理手順を示したフローチャートである。
【図１６】第９の実施例の構成を示したブロックである。
【図１７】第９の実施例の処理手順を示したフローチャートである。
【図１８】第１０の実施例の処理手順を示したフローチャートである。
【図１９】第１１の実施例の構成を示したブロックである。
【図２０】第１１の実施例の処理手順を示したフローチャートである。
【図２１】第１２の実施例の処理手順を示したフローチャートである。
【符号の説明】
【００２２】
１  メカニカルスイッチ
２  ＡＣ／ＤＣ変換部
３  スイッチ
４  ＣＴＬ電源生成部
５  画像形成装置
８  メカスイッチ検知
９  ＣＴＬ
１２  操作部
１３  ディスプレイ
１９  電圧検知
２０  ＰｏＥ
２１  イーサネット
２９  コード接続検知
３９  瞬断検知
４９  ノイズ検知
６０  不揮発メモリ
【図１】
2010041307.tif 000003
【図２】
2010041307.tif 000004
【図３】
2010041307.tif 000005
【図４】
2010041307.tif 000006
【図５】
2010041307.tif 000007
【図６】
2010041307.tif 000008
【図７】
2010041307.tif 000009
【図８】
2010041307.tif 000010
【図９】
2010041307.tif 000011
【図１０】
2010041307.tif 000012
【図１１】
2010041307.tif 000013
【図１２】
2010041307.tif 000014
【図１３】
2010041307.tif 000015
【図１４】
2010041307.tif 000016
【図１５】
2010041307.tif 000017
【図１６】
2010041307.tif 000018
【図１７】
2010041307.tif 000019
【図１８】
2010041307.tif 000020
【図１９】
2010041307.tif 000021
【図２０】
2010041307.tif 000022
【図２１】
2010041307.tif 000023